Podtech/llm-jp-corpus-v4-ja_patent huggingface dataset:
(57)【要約】      （修正有） 【課題】ヒートポンプ給湯器を高効率化する。【解決手段】市販されているヒートポンプ給湯器システムにて、給湯使用した後の排出湯を一時貯水槽に貯水して貯水槽をヒートポンプの熱吸収ユニット部の熱交換器近傍に気流を乱すこと無く設置し、貯水槽から放熱する使用済み給湯廃熱を再吸収することにより、または前面に設置できない場合は排出湯の貯水貯水槽から発生する暖気をヒートポンプ空気熱交換機に導くことで使用済み給湯廃熱を再吸収することにより、市販ヒートポンプ給湯器を高効率化させる。【選択図】図４
0003140390.tif 000002
【実用新案登録請求の範囲】
【請求項１】
市販されているヒートポンプ給湯器システムにおいて、給湯使用した後の排出湯を一時貯水槽に貯水して貯水槽をヒートポンプの熱吸収ユニット部の空気熱交換器近傍に気流を乱すこと無く設置し貯水槽から放熱する使用済み給湯廃熱を再吸収する、または前面に設置できない場合は排出湯の貯水貯水槽から発生する暖気をヒートポンプ空気熱交換機に導くことで使用済み給湯廃熱を再吸収するより、市販ヒートポンプ給湯器システムを高効率化させる貯水漕。
【考案の詳細な説明】
【技術分野】
【０００１】
ヒートポンプ給湯器システム用廃熱回収システム用貯水漕。
【背景技術】
【０００２】
ヒートポンプ給湯器（家庭用一般名エコキュート）システムに貯水槽他を追加して、廃温水から廃熱を回収するシステム。
【特許文献１】特開２００３−８３６１３号公報
【特許文献２】特開２００４−１６２９８３号公報
【特許文献３】特開２００４−５３１１９号公報
【非特許文献１】松下電工株式会社エコキュートカタログ
【非特許文献２】ダイキン工業株式会社エコキュートカタログ
【非特許文献３】各社貯水槽カタログ
【考案の開示】
【考案が解決しようとする課題】
【０００３】
図２は一般市販されているヒートポンプ給湯器（家庭用一般名エコキュート）のシステム図である。
【０００４】
図２で解るように給湯後の使用済み温水はそのまま廃棄される。一般家庭風呂を一例として廃棄される熱量を単純計算してみる。
【０００５】
一般家庭の平均浴槽容量が各浴槽メーカーカタログでは約３００リットルである。
【０００６】
東京都水道局の公表データーによると、水道水温が夏期にて平均２３．６度、冬期にて平均７．３度である。年間平均水温は１６．３度である。参考として冬期の平均気温は０度である。
【０００７】
夏期にて浴槽湯温３８度とし、３００リットルの水を加熱する熱量は４，３２０ジュールとなる。
冬期には浴槽湯温４２度とし、３００リットルの水を加熱する熱量は実に１０，４１０ジュールとなる。
【０００８】
年間として浴槽温４０度とし、３００リットルの水を加熱する熱量は１日平均７，１１０ジュールであり、年間の累計単純計算で、２，５９５，１５０ジュール実に約２．６メガジュールの熱を捨てていることになる。台所・洗面所を含めると一般家庭にて年間３メガジュールを越える熱を単純に捨てていることになる。
【課題を解決するための手段】
【０００９】
図１に示す様に給湯使用した後の排出湯を一時貯水槽に貯水して貯水槽をヒートポンプ給湯器の空気熱交換器近傍に気流を乱すこと無く設置し、貯水槽から放熱する使用済み給湯廃熱を再吸収することができるように設備を行う。
【００１０】
すでにヒートポンプ給湯設備が導入済みまたは、防水構造や他の設備との兼ね合い等により、前面に近傍に貯水槽が設置では、図３に示す様に別場所に貯水槽の設置を行い、給湯設備が作動する時間帯に送付機等を使用して暖気を空気熱交換機に導き給湯廃熱の回収を行う。
【００１１】
廃熱回収効率を上げるには、貯水槽内部に熱交換器設置が望ましいが、貯水槽の掃除等メンテナンス及び費用対効果を考え貯水槽からの自然放熱をヒートポンプ装置で大気中の潜熱吸収と同時に行うこととした。  また、熱伝導・耐久性・変換効率を考慮して貯水槽の材質はステンレスとし、貯水漕本体は、複数設置が適切である。
【００１２】
給湯場所と貯水槽との高低差が必要となり、必然的に貯水槽の設置場所が低位置となるため、付属品として排出用ポンプ装置が必要となる。また、フロート弁を設けることにより貯水槽のオーバーフローにも対応している。
【考案の効果】
【００１３】
本考案により、安易に排出されていた熱の回収が７０％回収できたとして、年間２．１メガジュールの熱が再利用できる事になる。
【００１４】
特に冬期においては、気温０度にという大気の少ない潜熱吸収によるヒートポンプ装置の過負荷発生酷使による装置寿命の短期化及び湯切が発生する。すなわち図２により解る様に８５度の加熱温度差をヒートポンプ装置で発生させなければならない。廃熱回収により、空気温度が給湯水温と水道水温の中間温度３４．７度仮定する５０．３度の加熱温度差に軽減され装置の寿命延命化と湯切れ防止という二次的効果が発生する。ヒートポンプ装置自体も負荷軽減により省エネルギー化される。
【００１５】
また、排水ポンプ設置に伴い、貯水後発生した冷水をお手洗い等に再利用が可能であり、節水効果という三次的効果も発生する。
【考案を実施するための最良の形態】
【００１６】
本考案が最も効果発揮できる利用形態は、図４に示す様に貯水漕の設置場所が地下に単独で設置を行い、貯水漕が蓄熱器を兼ねる様に設置を行われた場合。
【００１７】
一般家庭での例でいえば、入浴等給湯設備を使用直後ヒートポンプ給湯器が蓄熱動作を開始する場合。
【図面の簡単な説明】
【００１８】
【図１】は本考案の廃熱回収システムの概念図である。
【図２】は市販されている一般的なヒートポンプ給湯器システム概念図である。
【図３】は既設ヒートポンプ給湯設備導入済み設備に追加する場合等暖気を導く方式の概念図である。
【図４】は暖気を導く方式の簡単な貯水漕設備構による廃熱回収構成図である。貯湯タンク設備及び空気熱交換機を結ぶ配管は省略してある。
【図１】
0003140390.tif 000003
【図２】
0003140390.tif 000004
【図３】
0003140390.tif 000005
【図４】
0003140390.tif 000006
【手続補正書】
【提出日】平成20年1月17日(2008.1.17)
【手続補正１】
【補正対象書類名】実用新案登録請求の範囲
【補正対象項目名】全文
【補正方法】変更
【補正の内容】
【実用新案登録請求の範囲】
【請求項１】
給湯使用した後の排出湯を一時貯水槽に貯水して貯水槽をヒートポンプの熱吸収ユニット部の空気熱交換器近傍に気流を乱すこと無く設置し貯水槽から放熱する使用済み給湯廃熱を再吸収する、または前面に設置できない場合は排出湯の貯水槽から発生する暖気をヒートポンプ空気熱交換機に導くことで使用済み給湯廃熱を再吸収することによりヒートポンプ給湯器システムを高効率化させる貯水漕と、前記貯水槽を組み合わせたヒートポンプ給湯器システムとからなる廃熱回収システム。
(57)【要約】【課題】帽子の使用時に、帽子をピンで留めないで、飛ぶのを防止する、係止具を提供する【解決手段】帽子内側のツバ付け根の部分に、弾性体の紐の両端に着脱自在な係止具を設けたことを、特徴とする帽子の飛び防止係止具。【選択図】図１
0003140381.tif 000002
【実用新案登録請求の範囲】
【請求項１】
帽子内側のツバ付け根の部分に、弾性体の透明紐の両端に着脱自在な係止具を設けたことを、特徴とする帽子の飛び防止係止具
【考案の詳細な説明】
【技術分野】
【０００１】  本考案は帽子の使用時に風で帽子が飛ぶのを防止する、帽子に付ける防止係止具に関するものである。
【背景技術】
【０００２】  従来は、帽子をかぶる時は髪にピンで留めて、特に風が強い時は、黒いゴム紐をアゴにかけていた。
【考案の開示】
【考案が解決しようとする課題】
【０００３】  そのために次のような問題点があった。
ピンを用いてとめても完全に固定することは難しく、また帽子の使用時にピンをとめる事で時間を費やしていた。
また、備えついた黒ゴム紐ではアゴの部分にゴムが目立ち、帽子のファッション性が著しく損なわれていた。
本考案は以上の問題点を解決しようとするものである。
【課題を解決するための手段】
【０００４】  帽子のツバ内側の付け根の部分に、弾性体の透明紐の両端に、着脱自在な係止具を設ける。
本考案は以上の構成からなる帽子の飛び防止係止具である。
【考案の効果】
【０００５】  本考案は、帽子をかぶる時、髪にピンを止め作業の煩わしさから開放され、透明紐であるために従来のようにアゴに紐を掛けていることが第三者に分かり難く、帽子のファッション性を損なう事が無い。
【考案を実施するための最良の形態】
【０００６】以下、本考案の実施の形態を説明する。
（イ）弾性体の透明紐本体（１）の両端に、輪状の係止部（３）を設ける
（ロ）この係止部（３）の一端に紐本体（１）を固定するための固定具（２）を設ける。この固定具（２）は一方に開口部（５）を設けてこの開口部（５）に紐本体（１）を通して閉じる。したがって紐本体（１）が係止部（３）と固着される。
（ハ）ピン（７）のリング通し部（４）に係止部（３）を固定する。したがって紐本体（１）がピン（７）に固定される。
（ニ）針（６）を有するピン（７）を、帽子（１０）の内壁に針（６）を挿入して着脱防止金具（８）で止める。
（ホ）着脱は着脱防止金具（８）の止め部分（９）を引く。
本考案は以上の構造になって、次に使い方について説明する。
係止具（Ａ）を帽子（１０）の内側のツバに針（６）を挿入して、着脱防止金具（８）でピン（７）を固着させ、紐本体（１）を装着させ、アゴ（１１）」に掛ける。外出時に風が無い場合は、紐本体（１）が必要ないので着脱防止金具（８）を離してピン（７）を離して、係止具（Ａ）を帽子から外して出掛けても良い。
紐本体（１）はシリコン材質からなる透明体であるために紐本体（１）が装着している事が第三者に分かりづらい。
【図面の簡単な説明】
【０００７】
【図１】本考案の側面図
【図２】本考案の係止部の拡大図
【図３】本考案のピンの分離斜視図
【図４】本考案の係止部の装着図
【図５】本考案の使用説明図
【符号の説明】
【０００８】  １透明紐
２取り付け金具
３リング（係止部）
４リング通し部
５開口部
６針
７ピン
８着脱防止金具
９留め部分
１０帽子のツバ部分
１１アゴ
【図１】
0003140381.tif 000003
【図２】
0003140381.tif 000004
【図３】
0003140381.tif 000005
【図４】
0003140381.tif 000006
【図５】
0003140381.tif 000007
(57)【要約】【課題】就寝中に寝返りなどをした場合にも頭が外れない枕を提供する。【解決手段】中央部と両側部により構成し，両側部は先端に向かうに従い相互の間隔が広くなるようにした枕により課題を解決した。【選択図】図１
0003140305.tif 000002
【実用新案登録請求の範囲】
【請求項１】
中央部２と両側部３，３とから成り，両側部は先端に向かうに従い相互の間隔が広くなるようにした枕
【請求項２】
全体が平面への字状をした請求項１記載の枕
【請求項３】
全体が平面半円弧状をした請求項１記載の枕
【考案の詳細な説明】
【技術分野】
【０００１】
この考案は、寝返りで動く頭を的確に支え，快適な睡眠ができる枕に関するものである。
【背景技術】
【０００２】
従来からの枕は，枕の高さ（高い，普通，低い等）の違い，そばがら，羽根，ポリエチレン，ウレタン等の素材の違いによる硬さや通気性の違い，あるいは縦横のサイズの違い等により選択されてきた。
【０００３】
このため終身時の頭の位置を起床時までほぼ保って寝ている人にとっては，快適な睡眠を提供するものと考えられるが，就寝中に寝返り等で頭の位置をよく変えている人にとっては頭が枕から外れたり，頭と枕の位置関係が不適格になり首がこるなどの症状が現れているのが現状で，必ずしも充分満足できるものではない状況である。
【考案の開示】
【考案が解決しようとする課題】
【０００４】
当然のことながら，就寝中に頭の位置を変えないようにする訳にはいかないため，就寝中に寝返り等で頭の位置をよく変えている人にとっては，快適な睡眠が起床時まで継続し，目覚めたときにすっきりとしている枕の使用が望まれている。
【課題を解決するための手段】
【０００５】
この考案は、寝返り等で動く頭を的確に支えるための枕を提供するもので，枕を中央部と両側部とにより構成し，両側部は先端に向かうに従い相互の間隔が広くなるようにして課題を解決するものである。
【０００６】
この場合，中央部と両側部による全体の平面形状は，例えば平面への字状あるいは平面半円弧状とすることが好ましい。
【考案の効果】
【０００７】
この考案により，就寝中中央部に乗っていた頭が寝返り等により移動した場合，首，上半身あるいはかかと等を起点（支点）として頭の位置が左右ばかりでなく上下にも動くこととなり，従来の平面直線状の長方形の枕では頭が枕から外れる場合が生じる。この考案の枕は，両側部が先端に向かうに従って相互の間隔が広くなっているので，左右方向と共に上下に頭が動いても両側部に乗ることになり，就寝中頭が枕から外れることのない効果を有するものである。
【考案を実施するための最良の形態】
【０００８】
以下に図を参照しながら本考案の最良の実施形態を説明する。
【実施例】
【０００９】
図１は全体の形状を平面への字状としたものであり，１は枕，２は中央部，３は両側部であり，中央部２と両側部３，３は連続しており，両側部３，３は先端に向かうに従い相互の間隔が広くなっている。
【００１０】
中央部２，両側部３，３は従来の枕と同様に布等で作った袋状部の内部にそばがら，羽根，ポリエチレン，ウレタン等を入れて構成されるが，その袋状部及び内部に入れる材料は限定されない。
【００１１】
図２に示すものは全体の平面形状を半円弧状としたものであり，中央部２，両側部３，３から成り，両側部３，３は先端に向かうに従い間隔が広くなっている。
【００１２】
なお，中央部２，両側部３，３の高さ，幅についても限定されない。
【図面の簡単な説明】
【００１３】
【図１】平面への字状の枕の平面図（実施例）
【図２】平面半円弧状の枕の平面図（実施例）
【符号の説明】
【００１４】
１    枕
２    中央部
３    両側部
【図１】
0003140305.tif 000003
【図２】
0003140305.tif 000004
(57)【要約】【課題】改良された光ファイバーの非正六角形排列構造の提供。【解決手段】本考案の改良された光ファイバーの非正六角形排列構造は、複数の光ファイバーからなる複数の基本ユニットを形成し、複数の光ファイバーは直径が相同の円柱状外表面を有し、且つ、複数の光ファイバーを非正六角形排列の形態に配置し、非正六角形排列は六辺を有し、基本ユニットの三個の交替辺の各一者は、ｎ本の光ファイバーからなり、且つ、基本ユニットの別の三個の交替辺の各一者はｎ−１本の光ファイバーからなる。また、ｎ本の光ファイバーを有する基本ユニットの三個の交替辺は、ｎ−１本の光ファイバーを有する基本ユニットの別の三個の交替辺を連接し、よって、基本ユニットを集中すると共に、基本ユニット間の中心部分の光ファイバーを配置し、光ファイバーが互いに排列して、これにより、中心部分の光ファイバーが圧縮されるのを防止する。【選択図】図３
0003140301.tif 000002
【実用新案登録請求の範囲】
【請求項１】
光ファイバーの非正六角形排列構造であって、
複数の光ファイバーからなる複数の基本ユニットを形成し、前記複数の光ファイバーは直径が相同の円柱状外表面を有し、且つ、前記複数の光ファイバーを非正六角形排列の形態に配置し、前記非正六角形排列は六辺を有し、前記基本ユニットの三個の交替辺の各一者は、ｎ本の光ファイバーからなり、且つ、前記基本ユニットの別の三個の交替辺の各一者はｎ−１本の光ファイバーからなり、また、
ｎ本の光ファイバーを有する前記基本ユニットの三個の交替辺は、ｎ−１本の光ファイバーを有する前記基本ユニットの別の三個の交替辺を連接し、よって、前記基本ユニットを集中すると共に、前記基本ユニット間の中心部分の光ファイバーを配置し、前記光ファイバーが互いに排列して、これにより、中心部分の光ファイバーが圧縮されるのを防止することを特徴とする光ファイバーの非正六角形排列構造。
【請求項２】
前記光ファイバーの非正六角形排列構造において、ｎ＝６であることを特徴とする請求項１に記載の光ファイバーの非正六角形排列構造。
【考案の詳細な説明】
【技術分野】
【０００１】
本考案は光ファイバーの非正六角形排列構造に関するものであって、光線を非正六角形の形態に排列し、更に正確には、本考案は、適当に、複数の光ファイバーを一緒に組み合わせる構造に関する。
【背景技術】
【０００２】
公知技術中、複数の光ファイバーをピークトウバレイ形態(peak-to-valley relationship)により集中すると共に、これらの光ファイバーを複数のサブセットに融合し、その後、光ファイバーを融合して、最終排列にする。
【０００３】
しかし、上述の複数のサブセット間の中心部分は、互いに圧縮して光伝送率を低下させる。この他、公知の最終排列は複雑で、よって、コストも高い。
【考案の開示】
【考案が解決しようとする課題】
【０００４】
本考案の目的は、改良された光ファイバーの非正六角形排列構造を提供し、上述の欠点を改善することにある。
【課題を解決するための手段】
【０００５】
本考案の改良された光ファイバーの非正六角形排列構造は、複数の光ファイバーからなる複数の基本ユニットを形成し、複数の光ファイバーは直径が相同の円柱状外表面を有し、且つ、複数の光ファイバーを非正六角形排列の形態に配置し、非正六角形排列は六辺を有し、基本ユニットの三個の交替辺の各一者は、ｎ本の光ファイバーからなり、且つ、基本ユニットの別の三個の交替辺の各一者はｎ−１本の光ファイバーからなる。また、ｎ本の光ファイバーを有する基本ユニットの三個の交替辺は、ｎ−１本の光ファイバーを有する基本ユニットの別の三個の交替辺を連接し、よって、基本ユニットを集中すると共に、基本ユニット間の中心部分の光ファイバーを配置し、光ファイバーが互いに排列して、これにより、中心部分の光ファイバーが圧縮されるのを防止する。
【考案の効果】
【０００６】
本考案により、アレイの光伝送率を改善すると共に、製造工程を簡潔にすることができる。
【考案を実施するための最良の形態】
【０００７】
図１は、本考案の融合した光ファイバーを示す図で、三個の基本ユニット１１からなり、各基本ユニットは、複数の光ファイバー１１１からなる。光ファイバー１１１は相同の直径の円柱状外表面を有し、且つ、正六角形断面を有するアレイ形態に配置され、光ファイバー１１１は被覆材１２中で包覆され、光ファイバーはその後、高温真空の環境下で融合する。正六角形アレイは六辺有し、第一辺は六本の光ファイバー１１１からなる。第二辺は７本の光ファイバー１１１からなる。第三辺は六本の光ファイバー１１１からなる。第四辺は７本の光ファイバー１１１からなる。第五辺は六本の光ファイバー１１１からなる。第六辺は７本の光ファイバー１１１からなる。つまり、基本ユニット１１は六辺有し、基本ユニット１１の三個の交替辺の各一者はｎ本の光ファイバーからなり、且つ、基本ユニット１１の別の三個の交替辺の各一者はｎ−１本の光ファイバーからなる。例えば、図１で示されるように、基本ユニット１１の三個の交替辺の各一者は６本の光ファイバー１１１からなり、基本ユニット１１の別の三個の交替辺の各一者は７本の光ファイバー１１１からなる。
【０００８】
図１〜図３で示されるように、複数の光ファイバーを一緒に配置して、正六角形の基本ユニットを形成し、基本ユニット１１の三個の交替辺の各一者はｎ本の光ファイバーからなり、且つ、基本ユニット１１の別の三個の交替辺の各一者はｎ−１本の光ファイバーからなる。基本ユニット１１のｎ本の光ファイバーの辺は、その他の基本ユニット１１のｎ−１本の光ファイバーの辺を連結する方式で、三個の基本ユニットを集中する。三個の基本ユニット１１間の中心部分Sの光ファイバー１１１を配置し、基本ユニット１１の一光ファイバー１１１とその他の二個の基本ユニット１１の光ファイバー（図４で示される）の光ファイバーを一緒に排列する。これにより、基本ユニット１１の光ファイバー１１１は互いに圧縮されず、アレイの光伝送率を改善すると共に、製造工程を簡潔にする。
【０００９】
注意すべきことは、上述の一、或いは、二個、或いは、更に多くの素子を一緒に排列する素子は、上述の排列形態と異なるように排列してもよく、功能の応用が可能である。
【図面の簡単な説明】
【００１０】
【図１】本考案の基本ユニットの断面図である。
【図２】三個の基本ユニットをどのように集中させるかを示す図である。
【図３】三個の基本ユニットの接合方式を示す図である。
【図４】図３の中心部分Sの拡大図である。
【符号の説明】
【００１１】
１１  基本ユニット
１２  被覆材
１１１  光ファイバー
S  中心部分      
【図１】
0003140301.tif 000003
【図２】
0003140301.tif 000004
【図３】
0003140301.tif 000005
【図４】
0003140301.tif 000006
(57)【要約】      （修正有）【課題】骨つぼを陶磁器製の単なるつぼではなく、個性的で、且つ納骨される亡き人が成仏し霊山往生できるつぼとする。【解決手段】下部周面に模様を付してなる陶磁器製骨つぼ１であり、更には、下部周面に付した模様が蓮華模様２を刻設したもの、模様が蓮華模様を描いたもの、下部周面に付した模様が蓮華形状の台座とする。【選択図】図１
0003140367.tif 000002
【実用新案登録請求の範囲】
【請求項１】
下部周面に模様を付してなる陶磁器製骨つぼ。
【請求項２】
下部周面に付した模様が蓮華模様を刻設したものである請求項１の陶磁器製骨つぼ。
【請求項３】
下部周面に付した模様が蓮華模様を描いたものである請求項１の陶磁器製骨つぼ。
【請求項４】
下部周面に付した模様が、蓮華形状の台座であり、当該台座の中央に骨つぼを挿入し得る凹部を設け、骨つぼを前記凹部に着脱自在に嵌装してなる請求項１の陶磁器製骨つぼ。
【考案の詳細な説明】
【技術分野】
【０００１】  本考案は、故人の遺骨を納骨する骨つぼの改良に関するものである。
【背景技術】
【０００２】  従来より骨つぼは白の陶磁器製の蓋付容器が一般的であり、格別に個性的な形状のものはみかけない。【０００３】  骨つぼの周面及び蓋に模様を描いたものは見かけるが、それは単に美観を対象とした模様であり、宗教的意味合いのある模様でもなかった。【０００４】  このように骨つぼは、先祖、故人の悠久の寝所などといわれながら、現在のほとんどの骨つぼが、単なる遺骨収納用の容器となっているのが現状ではないだろうか。【０００５】  仏教の代表的な花は蓮、蓮華であることは知られている。古代インドでは蓮は女性の母体（胎臓）と考えられ、多産・豊穣・幸運・繁栄・長寿・健康を表わしている。『霊山往生』とは浄土の蓮池に咲く蓮華の中で一瞬のうちに不思議な誕生をすることで、悟りを開いて仏になった証として仏様は蓮台に乗っておられます。お位牌の蓮華台を設けるのも、亡き人が成仏し霊山往生した証なのである。
【考案の開示】
【考案が解決しようとする課題】
【０００６】  解決しようとする問題点は、骨つぼを陶磁器製の単なるつぼではなく、個性的で、且つ納骨される亡き人が成仏し霊山往生できるつぼとすることが考案が解決しようとする課題である。
【課題を解決するための手段】
【０００７】  本考案は、下部周面に模様を付してなる陶磁器製骨つぼであり、更には、下部周面に付した模様が蓮華模様を刻設したもの、模様が蓮華模様を描いたもの、下部周面に付した模様が蓮華形状の台座とすること、これらが課題を解決するための手段である。
【考案の効果】
【０００８】  従来は陶磁器の単なる白いつぼであったが、本考案は下部周面に模様を付してなる陶磁器製骨つぼであり、更には、下部周面に付した模様が蓮華模様を刻設したものであり、同じく模様が蓮華模様を描いたものであり、更には、下部周面に付した模様が蓮華形状の台座となっているものであるから、外観的にも骨つぼの下部に蓮華があることから豪華であり、また美麗である。しかも、骨つぼが蓮華台に載置されている状態になるので、当該蓮華は納骨される亡き人が成仏し霊山往生できるといわれていることから、骨つぼとしても誠に意義がある等、極めて顕著なる効果を有するものである。
【考案を実施するための最良の形態】
【０００９】  本考案は、下部周面に模様を付してなる陶磁器製骨つぼであり、更には、下部周面に付した模様が蓮華模様を刻設したものである請求項１の陶磁器製骨つぼであり、更には、下部周面に付した模様が蓮華模様を描いたものである請求項１の陶磁器製骨つぼであり、更には、下部周面に付した模様が、蓮華形状の台座であり、当該台座の中央に骨つぼを挿入し得る凹部を設け、骨つぼを前記凹部に着脱自在に嵌装してなる請求項１の陶磁器製骨つぼを呈せんとするものである。
【実施例１】
【００１０】  陶磁器製からなる骨つぼ１の下部周面に模様２を付している。本実施例においては、当該模様は蓮華模様としている。
【実施例２】
【００１１】陶磁器製からなる骨つぼ１の下部周面に蓮華模様２を刻設し、骨つぼ１に蓮華座を設けたような外観としている。蓮華模様２及びその形態に限定を受けるものではない。
【実施例３】
【００１２】陶磁器製からなる骨つぼ１の下部周面に蓮華模様２を描き、骨つぼ１に蓮華座を設けたような外観としている。蓮華模様２に限定を受けるものではない。
【実施例４】
【００１３】  蓮華形状の台座３であり、当該蓮華台３の中央に骨つぼ１を挿入し得る凹部４を設け、骨つぼ１を前記凹部４に着脱自在に嵌装し、骨つぼ１の蓮華台３としている。蓮華台３の形状及び蓮華模様及びその形態に限定を受けるものではない。
【産業上の利用可能性】
【００１４】  本考案は、下部周面に模様２を付してなる陶磁器製骨つぼ１であり、更には、下部周面に付した模様２が蓮華模様を刻設したものである請求項１の陶磁器製骨つぼ１であり、更には、下部周面に付した模様２が蓮華模様を描いたものである請求項１の陶磁器製骨つぼ１であり、更には、下部周面に付した模様が、蓮華形状の台座３であり、当該蓮華台３の中央に骨つぼ１を挿入し得る凹部４を設け、骨つぼ１を前記凹部４に着脱自在に嵌装してなる請求項１の陶磁器製骨つぼ１であるから、本考案に係る蓮華模様２及び蓮華台３の蓮華は納骨される亡き人が成仏し霊山往生できるといわれていることから、骨つぼとしても誠に意義があり、また外観も美麗となる上に、特に蓮華台３を設けたものにあってはどっしりとした重量感が得られる等、産業上での利用可能性は極めて大きいものがある。
【図面の簡単な説明】
【００１５】
【図１】  蓮華模様を刻設した骨つぼの正面図
【図２】  蓮華模様を描いた骨つぼの正面図
【図３】  蓮華台を設けた骨つぼの斜視図
【図４】  蓮華台と骨つぼの嵌装を示す一部断面した斜視図
【符号の説明】
【００１６】１  骨つぼ
２  蓮華模様
３  蓮華台
４  凹部
【図１】
0003140367.tif 000003
【図２】
0003140367.tif 000004
【図３】
0003140367.tif 000005
【図４】
0003140367.tif 000006
【手続補正書】
【提出日】平成19年12月17日(2007.12.17)
【手続補正１】
【補正対象書類名】実用新案登録請求の範囲
【補正対象項目名】全文
【補正方法】変更
【補正の内容】
【実用新案登録請求の範囲】
【請求項１】
上面を開放した略円筒形のつぼであり、当該つぼの下部周面に模様を付してなる陶磁器製骨つぼ。
(57)【要約】      （修正有）【課題】家庭内で飼われている犬猫の食事を快適にする。【解決手段】エサの入った皿を犬猫の口元に近づける為の高さがあり、皿周辺を移動せず食べられるように傾斜がつき、収納スペースが少ない、分解可能な台、収納スペースが少ない、分解可能な台。通常の座った姿勢で食事ができるので、頭・首を下げる際に支える足の負担が軽くなる。傾斜がついている為、常にエサが手前に降りてくるので、皿の向こう側へ回り込みエサを追いかける必要がない。【選択図】図６
0003140366.tif 000002
【実用新案登録請求の範囲】
【請求項１】
エサの入った皿を犬猫の口元に近づける為の高さがある台
【請求項２】
皿周辺を移動せず食べれる、傾斜のついた台。
【請求項３】
収納スペースが少ない、分解可能な台。
【考案の詳細な説明】
【技術分野】
【０００１】  本考案は犬猫が食事をしやすくする為の食事道具に関する。
【背景技術】
【０００２】  従来犬猫にエサを与える際、市販皿等にエサを入れ、床に置くだけである。
【考案の開示】
【考案が解決しようとする課題】
【０００３】  従来のエサを与えるやり方では、足が弱い・体が大きい犬猫には辛い体制である。【０００４】  水平に置かれた皿の中ではエサが移動しやすく、犬猫はそれを追いかけるように皿の周りを移動しながら食する傾向にある。【０００５】  食事以外の時に収納するスペースの確保が必要とされる。または、収納せず出しっぱなしの可能性がある。
【課題を解決するための手段】
【０００６】  エサの入った皿を犬猫の口元に近づける為の高さがある台【０００７】  皿周辺を移動せず食べれる、傾斜のついた台。【０００８】  収納スペースが少ない、分解可能な台。
【考案の効果】
【０００９】  通常の座った姿勢で食せれる。（頭・首を下げる際に支える足の負担が軽くなる）【００１０】  傾斜がついている為、常にエサが手前に降りてくるので、皿の向こう側へ回り込みエサを追いかける必要がない【００１１】  分解可能なので、少スペースでの収納可能。
【考案を実施するための最良の形態】
【００１２】  犬猫が通常屈んだ状態の口元まである高さが望ましく、皿に入ったエサがこぼれ落ちない程度の傾斜角度であり、毎日複数回利用する物なので、組み立て・分解が複雑でないものが最適。
【実施例】
【００１３】  市販皿をのせた状態で、手前の高さが５〜６センチに設定。【００１４】  １５度の角度の傾斜になるような構造を実施。【００１５】  溝にはめ込む・咬み合わせるだけの４枚の板状の部品で構成。
【産業上の利用可能性】
【図面の簡単な説明】
【００１６】
【図１】  使用する時に組み立てる前の４枚の板状の部品を示した平面図である。
【図２】  使用する際に組み立て、正面を示した立体図である。
【図３】  使用する際に組み立て、左側面を示した立体図である。
【図４】  使用する際に組み立て、後部面を示した立体図である。
【図５】  使用する際に組み立て、上部面を示した立体図である。
【図６】  利用例を示した立体図である。
【符号の説明】
【００１７】  １    天板
１−ａ  ２−ａをはめ込む箇所
１−ｂ  ３−ｂをはめ込む箇所
１−ｃ  ２−ｃをはめ込む箇所
１−ｄ  ３−ｄをはめ込む箇所
２    左側板
２−ａ  １−ａをはめ込む箇所
２−ｃ  １−ｃをはめ込む箇所
２−ｅ  ４−ｅをはめ込む箇所
３    右側板
３−ｂ  １−ｂをはめ込む箇所
３−ｄ  １−ｄをはめ込む箇所
３−ｆ  ４−ｆをはめ込む箇所
４    補強板
４−ｅ  ２−ｅをはめ込む箇所
４−ｆ  ３−ｆをはめ込む箇所
５    市販皿（使用例を提示する為）
【図１】
0003140366.tif 000003
【図２】
0003140366.tif 000004
【図３】
0003140366.tif 000005
【図４】
0003140366.tif 000006
【図５】
0003140366.tif 000007
【図６】
0003140366.tif 000008
【手続補正書】
【提出日】平成19年12月7日(2007.12.7)
【手続補正１】
【補正対象書類名】実用新案登録請求の範囲
【補正対象項目名】全文
【補正方法】変更
【補正の内容】
【実用新案登録請求の範囲】
【請求項１】
犬猫が食事をとりやすくするのを目的とした、手前に１５度  エサ皿を傾けさせる為の台
(57)【要約】      （修正有）【課題】カ−ポ−トの屋根はポリカ材等で葺かれているが、このカ−ポ−トの屋根を太陽電池で葺くことにより家庭用電力を得ることが出来、地球温暖化の予防にも役立つ。【解決手段】カ−ポ−トの屋根に太陽電池を葺くことにより、車を日光や、風雨等から守り、かつ家庭用電力を得ることが出来る。【選択図】図１
0003140365.tif 000002
【実用新案登録請求の範囲】
【請求項１】
カ−ポ−トの屋根は、現在ポリカ材を使用しているが、これを太陽電池でカ−ポ−トの屋根を葺く。
【考案の詳細な説明】
【技術分野】
【００１】  本考案はカ−ポ−トの屋根に太陽電池を設置に関する。
【背景技術】
【００２】  従来のカ−ポ−トは屋根をポリカ材等で葺いている（図２）。
【考案の開示】
【考案が解決しようとする課題】
【００３】  これでは日除け、雨よけにしか役立たないが太陽電池を設置することにより、家庭用電力を得ることが出来る。
【課題を解決するための手段】
【００４】  そこでこれまでポリカ材等で葺いていたカ−ポ−トの屋根に太陽電池を設置する（図１）よう考案した。
【考案の効果】
【００５】  よって、カ−ポ−トの屋根に葺いた太陽電池から家庭用電力を取得することが出来、地球温暖化防止対策にも役立つ。
【考案を実施するための最良の形態】
【００６】  本考案に係るカ−ポ−トに設置する太陽電池の大きさは、従来のカ−ポ−トと同じく土地の広さ、車の台数に応じて設置すればよい。
但し、太陽電池設置にさいし、雨漏りしないように設置する工夫が必要である。
【図面の簡単な説明】
【００７】
【図１】  本考案に係るカ−ポ−トに太陽電池を設置した状態の立体図である。
【図２】  ポリカ材等で葺いた、従来のカ−ポ−トの立体図である。
【符号の説明】
【００８】  １          太陽電池で葺いた屋根
２          従来のポリカ材等で葺いた屋根
１０          カ−ポ−ト
【図１】
0003140365.tif 000003
【図２】
0003140365.tif 000004
【手続補正書】
【提出日】平成19年12月12日(2007.12.12)
【手続補正１】
【補正対象書類名】実用新案登録請求の範囲
【補正対象項目名】全文
【補正方法】変更
【補正の内容】
【実用新案登録請求の範囲】
【請求項１】
カ−ポ−トの屋根は、現在ポリカ材等を使用しているが、このカ−ポ−トの屋根を太陽電池で葺いた、太陽電池式カ−ポ−ト。
(57)【要約】      （修正有）【課題】キーレス・キーレスキーとボールペンを一体化する。【解決手段】ボールペンとしても使用可能で、無線通信でセキュリティ機能の設定・解除が可能な電子キー、通称キーレスの機能をボールペンの天冠部の中に装着し、雌雄型のネジでボールペンと天冠部の取付け取外しを可能にしたキーレス付きボールペン。【選択図】図１
0003140362.tif 000002
【実用新案登録請求の範囲】
【請求項１】
キーレスが装着できるボールペン
【請求項２】
キーレスキーが装着できるボールペン
【考案の詳細な説明】
【技術分野】
【００１】  この考案は、キーレスまたはキーレスキーが装着できるボールペンに関するものである。【００２】  従来、ボールペンとキーレスまたはキーレスキーは別々の商品だった。
【考案の開示】
【考案が解決しようとする課題】
【００３】  キーレスまたはキーレスキーとボールペンは別々の商品として存在する。
本考案は、キーレスまたはキーレスキーとボールペンを一体の商品にしようと考えた。
【課題を解決するための手段】
【００４】  ボールペンにキーレスまたはキーレスキーの取り付け取り外しが自由できる。
以上の構成によるキーレスまたはキーレスキー付ボールペンである。
【考案の効果】
【００５】  キーレスまたはキーレスキーを単品として持ち歩く必要がなくなった。
ボールペンとして衣服の一定の個所に装着できる。
衣服の一定の個所に装着するとキーレスまたはキーレスキーの置き場所を忘れない。
衣服にキーレスまたはキーレスキー付ボールペンを装着したままドアのロックを外せる
【考案を実施するための最良の状態】
【００６】  以下、本考案の実施例を説明する。
衣服のポケットにキーレスまたはキーレスキー付ボールペンを装着した状態でドアのロックを開閉できる。
衣服のポケットにキーレスまたはキーレスキー付ボールペンを装着できるので無くしたり忘れたりすることがない。
キーレスまたはキーレスキーを単品で持ち歩かなくてもよい
キーレスまたはキーレスキーを取り付け後も取り外し後も通常のボールペンとして使用できる。
【図面の簡単な説明】
【００７】
【図１】本考案のキーレス斜視図である。
【図２】本考案のキーレスキー斜視図である。
【符号の説明】
【００８】  １、キーレス
２、キーレスキー
３、ボールペン
【図１】
0003140362.tif 000003
【図２】
0003140362.tif 000004
【手続補正書】
【提出日】平成19年10月17日(2007.10.17)
【手続補正１】
【補正対象書類名】明細書
【補正対象項目名】考案を実施するための最良の形態
【補正方法】変更
【補正の内容】
【考案を実施するための最良の形態】
【００６】
以下、本考案の実施例について説明する。
ボールペン（３）の上部の一端にネジの凹部を（４）を設定する。
キーレス（１）の下部にネジの凸部（５）を設定する。
キーレスキーの（２）の下部にネジの凸部（５）を設定する。
ボールペン（３）のネジの凹部（４）にキーレス（１）キーレスキー（２）のネジの凸部（４）をボールペン（３）のネジの凹部（４）に入れて差込み回す。
本考案は、以上のような構造でキーレスとキーレスキーはボールペンと一体になった。
【手続補正２】
【補正対象書類名】明細書
【補正対象項目名】符号の説明
【補正方法】変更
【補正の内容】
符号の説明
１、キーレス
２、キーレスキー
３、ボールペン
４、ボールペンのネジの凹部
５、キーレス・キーレスキーのネジの凸部
６、キーレス・キーレスキーのロック・ロック解除のスイッチ
【手続補正３】
【補正対象書類名】図面
【補正対象項目名】図１
【補正方法】変更
【補正の内容】
【図１】
0003140362.tif 000005
【手続補正４】
【補正対象書類名】図面
【補正対象項目名】図２
【補正方法】変更
【補正の内容】
【図２】
0003140362.tif 000006
【手続補正書】
【提出日】平成19年12月5日(2007.12.5)
【手続補正１】
【補正対象書類名】実用新案登録請求の範囲
【補正対象項目名】全文
【補正方法】変更
【補正の内容】
【実用新案登録請求の範囲】
【請求項１】
ボールペンとして使用も可能で、無線通信でセキュリティ機能の設定・解除が可能な電子キー、通称キーレスの機能をボールペンの天冠部の中に装着し、雄雌型のネジでボールペンと天冠部の取付け取外しを可能にしたキーレス付きボールペン。
【請求項２】
ボールペンとして使用も可能で、無線通信でセキュリティ機能の設定・解除が可能な電子キーとエンジンをスタートさせるエンジンキーが付いている、通称キーレスキーのキーレスの機能をボールペンの天冠部の中に装着し、エンジンキーは天冠部の下部に固定装着し、雄雌型のネジでボールペンと天冠部の取付け取外しを可能にしたキーレスキー付きボールペン。
(57)【要約】【課題】サンダル中敷が、簡単に取り外しが出来、洗える中敷を備えたサンダルを提供する。【解決手段】底部上に中敷を有するサンダルであって、前記中敷には前記底部を着脱可能に接着する接着手段を設けたことを特徴とするサンダルであって、好ましくは、前記接着手段が接着テープであり、さらに、前記中敷に取り外し用ヒモを有すると良い。そして本考のサンダルは、汗をかいたり、汚れた場合、中敷３を取り外す事によって、簡単に洗える事が出来る。その事によって、嫌な匂いもせず、いつでも清潔に、さらにサラット感があり履き心地が非常に良い。  玄関など置く場合、来客の人が来てもサンダルの中敷が汚れていないし、さらに嫌な匂いなどで、不快感を与えない最適なサンダルである。【選択図】図１
0003140336.tif 000002
【実用新案登録請求の範囲】
【請求項１】
底部上に中敷を有するサンダルであって、前記中敷には前記底部を着脱可能に接着する接着手段を設けたことを特徴とするサンダル。
【請求項２】
前記接着手段が前記底部の上面接着面の少なくとも一部又は前記中敷の該上面接着面の対応面のいずれか一方側が、先端踵形、鉤形若しくはループ上の微笑多突起からなり、対応面側は前記多繊維面に絡合し得る多繊維面とからなることを特徴とする請求項１記載のサンダル。
【請求項３】
前記中敷に取り外し用ヒモを有することを特徴とする請求項１又は２記載のサンダル。
【考案の詳細な説明】
【技術分野】
【０００１】
本考案は、サンダル中敷が、簡単に取り外しが出来、洗える中敷に関するものである。
【背景技術】
【０００２】
サンダルを履く事によって、多少サンダルの中敷が、汚れたりする場合がある、中敷が取り外しできる為、中敷を、洗ったり、拭いたりできる。
【考案の開示】
【考案が解決しようとする課題】
【０００３】
本来のサンダルは、履くと中敷が汚れてしまう、そこで、本考案は、特に、最適にサンダルを履いて頂くように、汗で、濡れたり、汚れた場合に、いつでも中敷を取りはずし、洗う事が出来る。更に、履く人の使い心地が、快適とされる。
【課題を解決するための手段】
【０００４】
底部上に中敷を有するサンダルであって、前記中敷には前記底部を着脱可能に接着する接着手段を設けたことを特徴とするサンダルであって、好ましくは、前記接着手段が前記底部の上面接着面の少なくとも一部又は前記中敷の該上面接着面の対応面のいずれか一方側が、先端踵形、鉤形若しくはループ上の微笑多突起からなり、対応面側は前記多繊維面に絡合し得る多繊維面とからなることであり、さらに、前記中敷に取り外し用ヒモを有すると良い。
【考案の効果】
【０００５】
サンダルの中敷の裏に着脱可能な接着手段を持ちいている、サンダルの中敷が取り外しが自由になり、汚れた時に洗える機能的なサンダルある、サンダルの中敷の取り外しは、中敷踵ヒモによって、機能的なおかつ着脱可能な接着手段のサンダルになる。
本考のサンダルは、汗をかいたり、汚れた場合、中敷３を取り外す事によって、簡単に洗える事が出来る。その事によって、嫌な匂いもせず、いつでも清潔に、さらにサラット感があり履き心地が非常に良い。
玄関など置く場合、来客の人が来てもサンダルの中敷が汚れていないし、さらに嫌な匂いなどで、不快感を与えない最適なサンダルである。
【考案を実施するための最良の形態】
【０００６】
サンダル本体１に図２の中敷３が設けており図３のように中敷３を取り外す事が出来る。
本考案における接着手段として、前記接着手段が前記底部の上面接着面の少なくとも一部又は前記中敷の該上面接着面の対応面のいずれか一方側が、先端踵形、鉤形若しくはループ上の微笑多突起からなり、対応面側は前記多繊維面に絡合し得る多繊維面とからなるもの（マジックテープ（登録商標））である。
強力な着脱可能な接着テープなので、底４と中敷３が歩くたびに動いたり外れたりしません。
中敷踵ヒモ（取り外し用ヒモ）で引っぱて取るので、簡単に取りはずしが出来る。
【実施例】
【０００７】
本考案を、図に従って説明する。
接着手段を可能な接着手段として、例えば、接着テープを用いることができる。
サンダル本体１は、通常のサンダル底４を中敷３と同じ構造から出来ている図３の通り着脱テープが付いており、いつでも中敷踵ヒモを引っ張って取り外しが出来る、中敷３の生地は、吸水性や吸湿性を有しない、素材が最適である、洗った場合に早く乾くことが非常に良い。
【産業上の利用可能性】
【０００８】
この考案は、機能性サンダルに関するものである。
【図面の簡単な説明】
【０００９】
【図１】本考案による、中敷取り外しサンダルの使用状態を示す斜視図である。
【図２】本考案による、中敷取り外しサンダルの中敷を取った時の中敷を裏面側からみた斜視図である。
【図３】本考案による、中敷取り外しサンダルの中敷を取る時の上面上から見た図である。
【符号の説明】
【００１０】
１  サンダル
２  サンダル甲バンド
３  中敷
４  底
５  着脱可能な接着テープ
６  中敷踵ヒモ（取り外し用ヒモ）
【図１】
0003140336.tif 000003
【図２】
0003140336.tif 000004
【図３】
0003140336.tif 000005
(57)【要約】      （修正有）【課題】ポットの蓋を横向きに開閉することが出来るようにし、お湯または水を追加する時、ポットの洗浄をする時などの安全性、利便性を考慮したポットを提供する。【解決手段】ポットの蓋を横向きに開閉することが出来るようにする。【選択図】図１
0003140378.tif 000002
【実用新案登録請求の範囲】
【請求項１】
ポットの蓋の蝶番の部分を後ろではなく、左右どちらかの横、もしくはその付近にもって来ることにより、お湯または水の追加する時、ポットの洗浄をする時などの利便性、安全性を考慮したポット（保温ポット、湯沸かしポットなど）。
【考案の詳細な説明】
【技術分野】
【０００１】本考案は、ポットの蓋部分を横に開けることのできる利便性、安全性を考慮したポットに関するものである。
【背景技術】
【０００２】現在、一般的に普及している湯沸かしポットや保温（保冷）ポットの蓋は後ろ中央部に蝶番もしくはそれに代わる部品を使って、手前から後ろに向かって蓋を開ける仕様になっている。
【考案の開示】
【考案が解決しようとする課題】
【０００３】後ろ向きに蓋をあける際、ポットのなかに残っている熱気、蒸気、特に湯が残っているときはかなり熱い湯気がたちのぼるため、蓋をもつ手はその湯気にさらされざるを得ない。蓋を外してポットの洗浄をするときも蓋を開けなければいけないので同じである。また、ポットが高い台の上に置いてあったり、壁際に設置してある場合、蓋を後方に向かって開けるためには手や腕を湯気にさらすだけにとどまらず、ポット本体を持って、移動させたり、手前にずらして後方に蓋を開くだけのスペースを本体の後ろ側に作らなければならず、手間がかかる。また、その手間を省くと、蓋をしっかりと開けることができずにバッタンと蓋が戻ってきたりして危険である。従って、蓋の開閉方向を横向きにすることで蓋を開けるとき、手や腕を湯気の真上にさらすことなく、また、ポットをわざわざ回転させたり、動かしたりすることなく、お湯の入れ替え、追加を行うことができるようにしたものである。
【課題を解決するための手段】
【０００４】ポット蓋の蝶番もしくはそれに代わる部品をそのまま後ろ中央から左右どちらかの横に移動させることで問題点を解決している。
【考案の効果】
【０００５】上述の通り、本考案のよこあけポットは火傷の危険性を回避することに役立つうえに、ポットの利便性も向上する。
【考案を実施するための最良の形態】
【０００６】ポット蓋の蝶番もしくはそれに代わる部品をそのまま後ろ中央から左右どちらか横に移動させる。持ち手は両脇ではなく、前後につけるなどの工夫が必要になってくるので、一体型、組み込み式など、よこあけの蓋でも邪魔にならず今まで通り持ち運びできるようにすればよい。
【実施例】
【０００７】右利きの人が多いことを考慮すると、左向き開け構造にし、左手で左横向きに湯気の脅威にさらされることなく蓋を開け、右手に持ったやかんなどで水を追加する。電気湯沸かしポットの場合、本体を電源コードから外し、従来通り洗い場まで持っていく。そして横方向に蓋を開け取り外し、湯気の危険にさらされることなく、ポットの洗浄をする。
【産業上の利用可能性】
【０００８】ポット蓋の蝶番もしくはそれに代わる部品をそのまま後ろから左右どちらか横に移動させる。
【図面の簡単な説明】
【０００９】
【図１】本考案のよこあけ安全ポットの実施例を示した立体図である。
【図１】
0003140378.tif 000003
(57)【要約】【課題】柔らかな汚物などが容器や周りに着かないように、取り込みやすくする。取り込んだ後の汚物の処理が楽に出来るようにする。汚物に対する不潔感をなくす。【解決手段】本考案は、汚物取り込み容器と粉末容器を一体型にすることで、柔らかな汚物などの取り込みを容易にする器具である。まず、柔らかな汚物に粉末容器の中の粉を振りかけると、汚物の表面が固まって周りに付くこともなく、転がすように汚物入れの容器の中に取り込むことが出来る。また、水洗トイレに流すことの出来る粉末を使えば、そのまま水洗トイレに流すことも出来て、ゴミ収集袋などに保存しておく必要もなくなり清潔である。また、汚物に粉末をかけることで、視覚的に不潔感がなくなるため、汚物取りの作業が苦痛にならない。犬や猫の糞や嘔吐物などあらゆる汚物に対応出来る。持ち運びしやすい携帯タイプだから、街路、公園、室内、屋外を問わずにどこでも使用することが出来て環境美化にも役立つ。【選択図】図３
0003140373.tif 000002
【実用新案登録請求の範囲】
【考案の詳細な説明】
【技術分野】
【０００１】本考案は粉末を入れる容器と汚物を取り込む容器を一体型にした物である
【背景技術】
【０００２】従来、汚物取り器には犬の糞取り器のように、取り込むのにテッシュペーパーやビニール袋や厚紙などを利用した容器などがあった。
【考案の開示】
【考案が解決しようとする課題】
【０００３】犬の糞などを取る従来の方法には次のような欠点があった。
（イ）柔らかい汚物の時には取りにくいし、周囲に付いたりして、非常に不潔感を伴った。
（ロ）取った後のテッシュペーパーやビニール袋などは捨てる場所も制限される。
【課題を解決するための手段】
【０００４】汚物取り込み容器と粉末容器を一緒にして持つことで、まず、粉末容器の中の粉を汚物にかけると、柔らかい汚物の表面が固まり、転がして汚物取り込み容器の中に簡単に取り込むことが出来る。また、粉末をかけることによって、汚物に対する視覚的な不潔感もなくなる。また、水洗トイレに流す事の出来る粉末を使えば、収集用ゴミ袋などに保存しておく必要もなくなり清潔である。
【考案の効果】
【０００５】上述の様に汚物取り込み容器と粉末容器を取り外しが可能な状態で一体型にすることで、持ち運びも便利だし、取った汚物の廃棄や容器の洗浄も簡単に出来清潔である。
【考案を実施するための最良の形態】
【０００６】汚物取り込み容器と粉末容器を取り外し可能な状態で一体型にする。粉末容器には適量の粉末を振りかけられる様に振り出し口をつける。汚物取り込み容器には、蓋を兼用した汚物取り込み用のヘラなどを付ける。粉末容器には粉末を入れるための蓋を付ける。
【実施例】
【０００７】汚物取り込み容器（１）と粉末容器（２）は取り外しが出来る様な一体型にする。（１）には汚物の取り込み口々蓋を兼用する汚物取り込み用のヘラ（３）を付ける。（２）には粉末を振りかけるための振り出し口（４）を付ける。また（２）には粉末を入れるためのフタ（５）を付ける。持ち運びやすいように取っ手（６）を付ける
【図面の簡単な説明】
【０００８】
【図１】    本考案の平面図である
【図２】    本考案の側面図である
【図３】    本考案の姿図である
【符号の説明】
【０００９】（１）汚物取り込み容器    （２）粉末容器    （３）フタ兼用取り込み用ヘラ
（４）粉末振りかけ口      （５）粉末入れ口  （６）取っ手
【図１】
0003140373.tif 000003
【図２】
0003140373.tif 000004
【図３】
0003140373.tif 000005
【手続補正書】
【提出日】平成19年12月19日(2007.12.19)
【手続補正１】
【補正対象書類名】実用新案登録請求の範囲
【補正対象項目名】全文
【補正方法】変更
【補正の内容】
【実用新案登録請求の範囲】
【請求項１】
粉末を入れる容器と汚物を取り込む容器を取り外し可能に、一体型にした容器。